(57)【特許請求の範囲】
【請求項１】
踏段の駆動輪が転動する駆動輪用ガイドレールと、
前記踏段の従動輪が転動する従動輪用ガイドレールとを清掃する、
ガイドレール清掃装置であって、
第１清掃部と第２清掃部と取付け板とを有し、
前記第１清掃部は、前記駆動輪用ガイドレールを清掃する第１清掃部材を有し、
前記第２清掃部は、前記従動輪用ガイドレールを清掃する第２清掃部材を有し、
前記取付け板は、前記駆動輪が固定された踏段軸に着脱可能に取付けられ、
前記第１清掃部と前記第２清掃部とは、前記取付け板に取付けられて、
前記第１清掃部材が、前記駆動輪用ガイドレールに当接されるとともに、
前記第２清掃部材が、前記従動輪用ガイドレールに当接されて、
前記第１清掃部材と前記第２清掃部材とにより、前記駆動輪用ガイドレールと前記従動輪用ガイドレールとが、同時に清掃される、
ガイドレール清掃装置。
【請求項２】
前記第１清掃部は、ブラケットにより前記取付け板に固定され、
前記ブラケットは、前記駆動輪を駆動する駆動チェーンの下方に配置される、
請求項１に記載のガイドレール清掃装置。
【請求項３】
前記第１清掃部は、前記第１清掃部材を前記駆動輪用ガイドレールに押圧する第１付勢部材を有し、
前記第２清掃部は、前記第２清掃部材を前記従動輪用ガイドレールに押圧する第２付勢部材を有する、
請求項１又は２に記載のガイドレール清掃装置。
【請求項４】
前記第１清掃部材及び前記第２清掃部材は、スポンジである、
請求項１から３のいずれか１項に記載のガイドレール清掃装置。
【発明の詳細な説明】
【技術分野】
【０００１】
本発明は、乗客コンベアの踏段のガイドレールを清掃する、ガイドレール清掃装置に関する。
【背景技術】
【０００２】
一般に、乗客コンベアは、手摺ベルトと、無端状に連結された踏段とを有しており、この踏段には、それぞれ一対の駆動輪と従動輪が設けられている。そして、これらの駆動輪及び従動輪は、それぞれ乗客コンベアのフレーム内に設置してある駆動輪用ガイドレール及び従動輪用ガイドレールの上を転動するようになっている。このような構成の乗客コンベアでは、乗客の靴などに付着したごみが、踏段上に落下して蓄積される。そして、このごみは、踏段鎖などに供給される潤滑油によって油性を帯び、粘着性の高い付着物となる。この付着物のごみは、ガイドレールの表面における駆動輪及び従動輪の転動の妨げとなり、踏段の振動の原因となる。【０００３】
そこで、従来、ガイドレールのレール面を清掃するものとして、踏段駆動鎖に清掃具を固定してガイドレールの上で清掃具を摺動させるもの、また、従動輪の回転軸を支持するフレームに着脱可能なブラケットを取り付け、このブラケットに従動輪用ガイドレールの上を転動する清掃体を備えるもの、そして、踏段に代えて取付ける枠体に、駆動輪用ガイドレール及び従動輪用ガイドレールに接触する第１および第２の清掃部材を設けて清掃装置を構成し、駆動輪用ガイドレール及び従動輪用ガイドレールを同時に清掃するものなどが提案されている（例えば特許文献１、特許文献２参照）。
【先行技術文献】
【特許文献】
【０００４】
【特許文献１】特開昭６１−１８３０８４号公報
【特許文献２】特開昭６３−１３９８９２号公報
【発明の概要】
【発明が解決しようとする課題】
【０００５】
しかしながら、特許文献１に記載の清掃装置は、駆動輪用のガイドレールと、従動輪用のガイドレールとを別々に清掃するものであるため、作業時間が長くかかっていた。また、特許文献２に記載の清掃装置は、駆動輪用のガイドレールと従動輪用のガイドレールとを同時に清掃することはできるが、装置の枠体が大きくて設置に工数を要し、駆動チェーンの中に駆動輪が組み込まれている構造の乗客コンベアには適用できなかった。【０００６】
本発明は、上記のような課題を解決するためになされたものであり、駆動チェーンの中に駆動輪が組み込まれている構造の乗客コンベアにおいても、駆動輪用ガイドレールと、従動輪用ガイドレールとを、同時に清掃することのできる、ガイドレール清掃装置を得るものである。
【課題を解決するための手段】
【０００７】
本発明に係るガイドレール清掃装置は、踏段の駆動輪が転動する、駆動輪用ガイドレールを清掃する第１清掃部と、踏段の従動輪が転動する、従動輪用ガイドレールを清掃する第２清掃部と、取付け板とを有し、第１清掃部は、駆動輪用ガイドレールを清掃する第１清掃部材を有し、第２清掃部は、従動輪用ガイドレールを清掃する第２清掃部材を有し、取付け板は、駆動輪が固定された踏段軸に着脱可能に取付けられ、第１清掃部と第２清掃部とは、取付け板に取付けられて、第１清掃部材が駆動輪用ガイドレールに当接されるとともに、第２清掃部材が従動輪用ガイドレールに当接されて、第１清掃部材と第２清掃部材とにより、駆動輪用ガイドレールと従動輪用ガイドレールとが、同時に清掃される。
【発明の効果】
【０００８】
本発明は、ガイドレール清掃装置における、踏段の駆動輪用ガイドレールを清掃する機構と、踏段の従動輪用ガイドレールを清掃する機構とを一体化することにより、踏段を一回走行させるだけで、駆動輪用ガイドレールと従動輪用ガイドレールとを同時に清掃することができる。これにより、駆動輪用ガイドレールと従動輪用ガイドレールの清掃時間を短縮することができる。
【図面の簡単な説明】
【０００９】
【図１】本発明の実施の形態１によるガイドレール清掃装置が取付けられた、乗客コンベアを示す模式図である。
【図２】図１の乗客コンベアの踏段を示す斜視図である。
【図３】図１の乗客コンベアの踏段と踏段駆動装置に、実施の形態１のガイドレール清掃装置が取付けられた状態を示す斜視図である。
【図４】実施の形態１によるガイドレール清掃装置を側面から見た概略図である。
【図５】図４のガイドレール清掃装置を、矢印Ａの方向から見た図である。
【図６】ガイドレール清掃装置を、上方から見た概略図である。
【発明を実施するための形態】
【００１０】
以下、本発明のガイドレール清掃装置の好適な実施の形態につき、図面を用いて説明する。
【００１１】
実施の形態１．
図１は、本発明の実施の形態１におけるガイドレール清掃装置１００が取付けられた、乗客コンベアを示す模式図である。上階床と下階床との間には、主枠１が掛け渡されている。主枠１は、上階側水平部１ａと、下階側水平部１ｂと、上階側水平部１ａと下階側水平部１ｂとの間に位置する傾斜部１ｃとを有している。主枠１の上方には、主枠１の長手方向に延びた欄干２が設けられている。主枠１内には、循環移動する複数の踏段３と、踏段３を循環移動させる踏段駆動装置４と、踏段駆動装置４が駆動する動力を発生させる駆動機５とを有している。駆動機５は、主枠１の上階側水平部１ａに配置されている。
【００１２】
図２は、図１の踏段３を示す斜視図である。踏段３は、踏板７と、踏板７の後段側端部に設けられたライザ８と、踏板７とライザ８とを連結する一対のブラケット９と、ブラケット９の前段側部分に設けられた踏段軸１０と、踏段軸１０に設けられた駆動輪１１と、ブラケット９の後段側部分に設けられた一対の従動輪１２とを有して いる。
【００１３】
各ブラケット９は、踏段３の幅方向に互いに離れて配置されている。踏段軸１０は、踏段軸１０の軸方向が踏段３の幅方向となるように配置されている。また、踏段軸１０は、各ブラケット９を貫通している。
【００１４】
各駆動輪１１は、踏段軸１０の両端部に取り付けられている。また、各駆動輪１１は、ブラケット９よりも踏段３の幅方向外側に配置されている。各従動輪１２は、踏段３の幅方向に互いに離れて配置されている。また、各従動輪１２は、駆動輪１１よりも踏段３の幅方向内側に配置されている。
【００１５】
図３は図１の踏段３および踏段駆動装置４を示す斜視図である。踏段駆動装置４は、各駆動輪１１を案内する一対の駆動輪用ガイドレール１３と、各従動輪１２を案内する一対の従動輪用ガイドレール１４と、各踏段３を連結する無端形状の一対の踏段チェーン１５とを有している。そして、駆動機５の駆動により発生する駆動力が各踏段チェーン１５に伝達されるようになっている。各踏段チェーン１５は、駆動力が伝達されることにより、互いに同期して循環移動をする。
【００１６】
各踏段チェーン１５は、駆動輪用ガイドレール１３よりも踏段３の幅方向内側であって、従動輪用ガイドレール１４よりも踏段３の幅方向外側に配置されている。ガイドレール清掃装置１００は、踏板７の下方において、踏段軸１０に取付けられている。
【００１７】
次に、図４〜図６を用いて、実施の形態１によるガイドレール清掃装置１００について説明する。図４は実施の形態１によるガイドレール清掃装置１００を側面から見た概略図である。また、図５は、図４のガイドレール清掃装置１００を、矢印Ａの方向から見た図である。そして、図６は、ガイドレール清掃装置１００を上方から見た概略図である。なお、図４〜図６は、踏段３の幅方向の一方のみを示しているが、他方も同様である。
【００１８】
図４及び図５に示すように、実施の形態１のガイドレール清掃装置１００は、駆動輪用ガイドレール１３を清掃する第１清掃部１１０と、従動輪用ガイドレール１４を清掃する第２清掃部１２０と、取付け板１４０とにより構成されている。
【００１９】
第１清掃部１１０は、スポンジ１１１と、バネ１１２と、第１ブラケット１１３と、枠１１４とを有している。枠１１４には、バネ１１２の一端側が固定されており、バネ１１２の他端側には、スポンジ１１１が取付けられている。そして、バネ１１２は、枠１１４の中で伸縮可能になっている。枠１１４は、第１ブラケット１１３の一端側に固定されている。
【００２０】
第２清掃部１２０は、スポンジ１２１と、バネ１２２と、第２ブラケット１２３とを有している。バネ１１２の一端側は第２ブラケット１２３に固定されており、バネ１１２の他端側には、スポンジ１１１が取付けられている。
【００２１】
図４〜図６に示すように、取付け板１４０は、長尺の部材であり、図４に示すように、一端側がＵ字状に曲げられており、他端側はＬ字状に曲げられている。取付け板１４０は、Ｕ字状の一端側が任意の踏段軸１０に引っ掛けられる。そして、取付け板１４０に形成された図示しない貫通孔に固定ピン１４１を挿入することにより、取付け板１４０は、踏段軸１０から外れないように固定される。取付け板１４０の他端側は、２つ隣の踏段軸１０に引っ掛けられる。
【００２２】
図５及び図６に示すように、第１ブラケット１１３と第２ブラケット１２３は、踏段軸１０に固定された取付け板１４０に、図示しないボルトにより固定される。このとき、図４及び図５に示すように、第１ブラケット１１３のスポンジ１１１は、バネ１１２により、駆動輪用ガイドレール１３のレール面に押圧される。また、第２ブラケット１２３のスポンジ１２１は、バネ１２２により、従動輪用ガイドレール１４のレール面に押圧される。
【００２３】
この状態で、踏段３を移動させることにより、駆動輪用ガイドレール１３のレール面に付着している異物が、スポンジ１１１によって取り除かれる。同時に、従動輪用ガイドレール１４のレール面に付着している異物が、スポンジ１２１によって取り除かれる。
【００２４】
このように、実施の形態１によるガイドレール清掃装置１００によれば、踏段３の踏段軸１０に取付けた取付け板１４０に、第１清掃部１１０と第２清掃部１２０とを固定している。そして、第１清掃部１１０に、駆動輪用ガイドレール１３のレール面を清掃するスポンジ１１１を取り付け、第２清掃部１２０に、従動輪用ガイドレール１４のレール面を清掃するスポンジ１２１を取付けている。また、駆動輪用ガイドレール１３のレール面に、バネ１１２によりスポンジ１１１を押圧し、従動輪用ガイドレール１４のレール面に、バネ１２２によりスポンジ１１２１を押圧する。そして、この状態で踏段３を移動させて、スポンジ１１１により、駆動輪用ガイドレール１３のレール面に付着した異物を取り除くとともに、スポンジ１１２１により、従動輪用ガイドレール１４のレール面に付着した異物を取り除いている。これにより踏段３の一回の走行のみによって、駆動輪用ガイドレール１３のレール面と、従動輪用ガイドレール１４のレール面の清掃をおこなうことができる。
【００２５】
さらに、実施の形態１のガイドレール清掃装置１００では、図５に示すように、第１ブラケット１１３を、踏段軸１０に取付けられた踏段チェーン１５の下方に配置している。これにより、第１清掃部１１０を構成する第１ブラケット１１３が、踏段チェーン１５に干渉しない状態で、駆動輪用ガイドレール１３を清掃することができる。
【００２６】
また、ガイドレール清掃装置１００の取付け板１４０は、踏段軸１０に着脱可能となっているので、駆動輪用ガイドレール１３及び従動輪用ガイドレール１４の清掃を行うときのみに、ガイドレール清掃装置１００を踏段軸１０に取り付けることができる。これにより、ガイドレール清掃装置１００の長寿命化を図ることができる。
【００２７】
なお、実施の形態１では、ガイドレール清掃装置１００を適用する乗客コンベアとして、エスカレータ装置を例に説明したが、乗客コンベアは、動く歩道であってもよい。
【００２８】
また、第１清掃部１１０のスポンジ１１１及び第２清掃部１２０のスポンジ１２１に、アルコールなどの溶剤、又は洗剤などを染み込ませて清掃してもよい。この場合、清掃後に、スポンジ１１１及びスポンジ１２１を、潤滑油、グリスなどの潤滑剤を染み込ませたフェルトなどに取り換えて、再度、踏段３を走行させてもよい。これにより、踏段３の走行回数は増えるが、レール面に付着した異物をさらによく取り除くことができるとともに、潤滑剤を塗布することができる。
【００２９】
なお、実施の形態１のガイドレール清掃装置１００では、駆動輪用ガイドレール１３及び従動輪用ガイドレール１４のレール面の清掃に、スポンジ１１１及びスポンジ１２１を用いていたが、清掃に用いる部材は、スポンジに限るものではない。例えば、スポンジ１１１及びスポンジ１２１に替えて、ブラシ、又はゴム製のへらを用いてもよい。
【符号の説明】
【００３０】
１  主枠、２  欄干、３  踏段、４  踏段駆動装置、５  駆動機、７  踏板、８  ライザ、９  ブラケット、１０  踏段軸、１１  駆動輪、１２  従動輪、１３  駆動輪用ガイドレール、１４  従動輪用ガイドレール、１５  踏段チェーン、１００  ガイドレール清掃装置、１１０  第１清掃部、１１１  スポンジ（第１清掃部材）、１１２  バネ（第１付勢部材）、１１３  第１ブラケット（ブラケット）、１１４  枠、１２０  第２清掃部、１２１  スポンジ（第２清掃部材）、１２２  バネ（第２付勢部材）、１２３  第２ブラケット、１４０  取付け板、１４１  固定ピン。
【図１】
0006712090.tif 000002
【図２】
0006712090.tif 000003
【図３】
0006712090.tif 000004
【図４】
0006712090.tif 000005
【図５】
0006712090.tif 000006
【図６】
0006712090.tif 000007